(57)【特許請求の範囲】
【請求項１】
ネットワークにおいて異なる複数の伝送路で伝送された信号の切替を無瞬断で行う無瞬断切替システムであって、
無瞬断切替システムは、送信側装置と受信側装置とを有し、
送信側装置は、
バーチャルコンカチネーション技術を用いて、元信号を複数のバーチャルコンカチネーション信号に分割する振り分け処理手段と、
分割されたバーチャルコンカチネーション信号の各々のＨ４バイトマルチフレームに、バーチャルコンカチネーション信号間の位相差を検出するための識別子を入力する識別子入力手段と、
分割されたバーチャルコンカチネーション信号の各々を異なる２つの系に分岐する複数の分岐手段と、
分岐された一方の系の複数のバーチャルコンカチネーション信号を第１の伝送路に送信する第１の送信手段と、
分岐された他方の系の複数のバーチャルコンカチネーション信号を第２の伝送路に送信する第２の送信手段とを有し、
受信側装置は、
送信側装置から第１の伝送路及び第２の伝送路で伝送された全てのバーチャルコンカチネーション信号を受信する受信手段と、
当該全てのバーチャルコンカチネーション信号間の位相差を検出する位相差検出手段と、
位相差検出手段で検出された位相差を吸収する位相差吸収手段と、
各分岐手段により分岐された２つの系のバーチャルコンカチネーション信号間で切替を行う複数の切替手段と、
複数の切替手段から出力されたバーチャルコンカチネーション信号を元信号に復元する復元処理手段とを有する
ことを特徴とする無瞬断切替システム。
【請求項２】
ネットワークにおいて異なる複数の伝送路で伝送された信号の切替を無瞬断で行う無瞬断切替システムであって、
無瞬断切替システムは、送信側装置と受信側装置とを有し、
送信側装置は、
元信号を異なる２つの系に分岐する分岐手段と、
分岐された一方の系の元信号である第１の元信号を、バーチャルコンカチネーション技術を用いて複数のバーチャルコンカチネーション信号に分割する第１の振り分け手段と、
分岐された他方の系の元信号である第２の元信号を、バーチャルコンカチネーション技術を用いて複数のバーチャルコンカチネーション信号に分割する第２の振り分け手段と、
第１の元信号から分割されたバーチャルコンカチネーション信号の各々のＨ４バイトマルチフレームに、バーチャルコンカチネーション信号間の位相差を検出するための識別子を入力する第１の識別子入力手段と、
第２の元信号から分割されたバーチャルコンカチネーション信号の各々のＨ４バイトマルチフレームに、バーチャルコンカチネーション信号間の位相差を検出するための識別子を入力する第２の識別子入力手段と、
第１の元信号から分割された複数のバーチャルコンカチネーション信号を第１の伝送路に送信する第１の送信手段と、
第２の元信号から分割された複数のバーチャルコンカチネーション信号を第２の伝送路に送信する第２の送信手段とを有し、
受信側装置は、
送信側装置から第１の伝送路及び第２の伝送路で伝送された全てのバーチャルコンカチネーション信号を受信する受信手段と、
当該全てのバーチャルコンカチネーション信号間の位相差を検出する位相差検出手段と、
位相差検出手段で検出された位相差を吸収する位相差吸収手段と、
第１の元信号から分割され、位相差が吸収された複数のバーチャルコンカチネーション信号を第１の元信号に復元する第１の復元手段と、
第２の元信号から分割され、位相差が吸収された複数のバーチャルコンカチネーション信号を第２の元信号に復元する第２の復元手段と、
復元された第１の元信号と第２の元信号のうちの１つの元信号を選択する切替手段とを有する
ことを特徴とする無瞬断切替システム。
【請求項３】
請求項１又は２に記載の位相差吸収手段は、
第１の伝送路から受信した複数のバーチャルコンカチネーション信号を一時蓄積するための第１の一時蓄積手段と、
第２の伝送路から受信した複数のバーチャルコンカチネーション信号を一時蓄積するための第２の一時蓄積手段とを有し、
請求項１又は２に記載の位相差検出手段は伝送された全てのバーチャルコンカチネーション信号間の位相差をＨ４バイトマルチフレームにおける識別子を用いて検出し、位相差吸収手段が、検出された位相差を用いて第１の一時蓄積手段と第２の一時蓄積手段からの読出し位相を揃える請求項１又は２に記載の無瞬断切替システム。
【請求項４】
ネットワークにおいて異なる複数の伝送路で伝送された信号の切替を無瞬断で行う無瞬断切替システムであって、
無瞬断切替システムは、送信側装置と受信側装置とを有し、
送信側装置は、
バーチャルコンカチネーション技術を用いて、元信号を複数のバーチャルコンカチネーション信号に分割する振り分け処理手段と、
分割されたバーチャルコンカチネーション信号の各々のＨ４バイトマルチフレームに、バーチャルコンカチネーション信号間の位相差を検出するための識別子を入力する識別子入力手段と、
分割されたバーチャルコンカチネーション信号の各々を第１のバーチャルコンカチネーション信号と、第２のバーチャルコンカチネーション信号とに分岐する複数の分岐手段と、
複数の第２のバーチャルコンカチネーション信号から１つの第２のバーチャルコンカチネーション信号を選択するための選択手段と、
複数の第１のバーチャルコンカチネーション信号を第１の伝送路に送信する第１の送信手段と、
選択手段により複数の第２のバーチャルコンカチネーション信号から選択された第２のバーチャルコンカチネーション信号を第２の伝送路に送信する第２の送信手段とを有し、
受信側装置は、
送信側装置から第１の伝送路及び第２の伝送路で伝送された全てのバーチャルコンカチネーション信号を受信する受信手段と、
当該全てのバーチャルコンカチネーション信号間の位相差を検出する位相差検出手段と、
位相差検出手段で検出された位相差を吸収する位相差吸収手段と、
位相差が吸収された第２のバーチャルコンカチネーション信号を分岐する分岐手段と、
位相差が吸収された複数の第１のバーチャルコンカチネーション信号と、受信側装置における分岐手段により分岐された複数の第２のバーチャルコンカチネーション信号の入力を受ける複数の切替手段と、
複数の切替手段から出力されたバーチャルコンカチネーション信号から元信号を復元する復元手段とを有し、
複数の切替手段の各々は、第１のバーチャルコンカチネーション信号と第２のバーチャルコンカチネーション信号間の切り替えを行う
ことを特徴とする無瞬断切替システム。
【請求項５】
請求項４に記載の位相差吸収手段は、
第１の伝送路から受信した複数のバーチャルコンカチネーション信号を一時蓄積する第１の一時蓄積手段と、
第２の伝送路から受信した第２のバーチャルコンカチネーション信号を一時蓄積する第２の一時蓄積手段とを有し、
請求項４に記載の位相差検出手段は伝送された全てのバーチャルコンカチネーション信号間の位相差をＨ４バイトマルチフレームにおける識別子を用いて検出し、位相差吸収手段が、検出された位相差を用いて第１の一時蓄積手段と第２の一時蓄積手段からの読出し位相を揃える請求項４に記載の無瞬断切替システム。
【請求項６】
送信側装置と受信側装置とを有し、ネットワークにおいて異なる複数の伝送路で伝送された信号の切替を無瞬断で行う無瞬断切替システムにおける受信側装置の機能を有する伝送装置であって、
送信側装置は、バーチャルコンカチネーション技術を用いて、元信号を複数のバーチャルコンカチネーション信号に分割し、分割されたバーチャルコンカチネーション信号の各々のＨ４バイトマルチフレームに、バーチャルコンカチネーション信号間の位相差を検出するための識別子を入力し、分割され、識別子を入力されたバーチャルコンカチネーション信号の各々を異なる２つの系に分岐し、分岐された一方の系の複数のバーチャルコンカチネーション信号を第１の伝送路に送信し、分岐された他方の系の複数のバーチャルコンカチネーション信号を第２の伝送路に送信する機能を有しており、
伝送装置は、
送信側装置から第１の伝送路及び第２の伝送路で伝送された全てのバーチャルコンカチネーション信号を受信する受信手段と、
当該全てのバーチャルコンカチネーション信号間の位相差を検出する位相差検出手段と、
位相差検出手段で検出された位相差を吸収する位相差吸収手段と、
分岐された２つの系のバーチャルコンカチネーション信号間で切替を行う複数の切替手段と、
複数の切替手段から出力されたバーチャルコンカチネーション信号を元信号に復元する復元処理手段と
を有することを特徴とする伝送装置。
【請求項７】
送信側装置と受信側装置とを有し、ネットワークにおいて異なる複数の伝送路で伝送された信号の切替を無瞬断で行う無瞬断切替システムにおける受信側装置の機能を有する伝送装置であって、
送信側装置は、元信号を異なる２つの系に分岐し、分岐された一方の系の元信号である第１の元信号を、バーチャルコンカチネーション技術を用いて複数のバーチャルコンカチネーション信号に分割し、分岐された他方の系の元信号である第２の元信号を、バーチャルコンカチネーション技術を用いて複数のバーチャルコンカチネーション信号に分割し、第１の元信号から分割されたバーチャルコンカチネーション信号の各々のＨ４バイトマルチフレームに、バーチャルコンカチネーション信号間の位相差を検出するための識別子を入力し、第２の元信号から分割されたバーチャルコンカチネーション信号の各々のＨ４バイトマルチフレームに、バーチャルコンカチネーション信号間の位相差を検出するための識別子を入力し、第１の元信号から分割され識別子が入力された複数のバーチャルコンカチネーション信号を第１の伝送路に送信し、第２の元信号から分割され識別子が入力された複数のバーチャルコンカチネーション信号を第２の伝送路に送信する機能を有し、
伝送装置は、
送信側装置から第１の伝送路及び第２の伝送路で伝送された全てのバーチャルコンカチネーション信号を受信する受信手段と、
当該全てのバーチャルコンカチネーション信号間の位相差を検出する位相差検出手段と、
位相差検出手段で検出された位相差を吸収する位相差吸収手段と、
第１の元信号から分割され、位相差が吸収された複数のバーチャルコンカチネーション信号を第１の元信号に復元する第１の復元手段と、
第２の元信号から分割され、位相差が吸収された複数のバーチャルコンカチネーション信号を第２の元信号に復元する第２の復元手段と、
復元された第１の元信号と第２の元信号のうちの１つの元信号を選択する切替手段と
を有することを特徴とする伝送装置。
【請求項８】
請求項６又は７に記載の位相差吸収手段は、
第１の伝送路から受信した複数のバーチャルコンカチネーション信号を一時蓄積するための第１の一時蓄積手段と、
第２の伝送路から受信した複数のバーチャルコンカチネーション信号を一時蓄積するための第２の一時蓄積手段とを有し、
請求項６又は７に記載の位相差検出手段は伝送された全てのバーチャルコンカチネーション信号間の位相差をＨ４バイトマルチフレームにおける識別子を用いて検出し、位相差吸収手段が、検出された位相差を用いて第１の一時蓄積手段と第２の一時蓄積手段からの読出し位相を揃える請求項６又は７に記載の伝送装置。
【請求項９】
送信側装置と受信側装置とを有し、ネットワークにおいて異なる複数の伝送路で伝送された信号の切替を無瞬断で行う無瞬断切替システムにおける受信側装置の機能を有する伝送装置であって、
送信側装置は、バーチャルコンカチネーション技術を用いて、元信号を複数のバーチャルコンカチネーション信号に分割し、分割されたバーチャルコンカチネーション信号の各々のＨ４バイトマルチフレームに、バーチャルコンカチネーション信号間の位相差を検出するための識別子を入力し、分割され識別子が入力されたバーチャルコンカチネーション信号の各々を第１のバーチャルコンカチネーション信号と、第２のバーチャルコンカチネーション信号とに分岐し、複数の第２のバーチャルコンカチネーション信号から１つの第２のバーチャルコンカチネーション信号を選択し、複数の第１のバーチャルコンカチネーション信号を第１の伝送路に送信し、複数の第２のバーチャルコンカチネーション信号から選択された第２のバーチャルコンカチネーション信号を第２の伝送路に送信する機能を有し、
伝送装置は、
送信側装置から第１の伝送路及び第２の伝送路で伝送された全てのバーチャルコンカチネーション信号を受信する受信手段と、
当該全てのバーチャルコンカチネーション信号間の位相差を検出する位相差検出手段と、
位相差検出手段で検出された位相差を吸収する位相差吸収手段と、
位相差が吸収された第２のバーチャルコンカチネーション信号を分岐する分岐手段と、
位相差が吸収された複数の第１のバーチャルコンカチネーション信号と、受信側装置における分岐手段により分岐された複数の第２のバーチャルコンカチネーション信号の入力を受ける複数の切替手段と、
複数の切替手段から出力されたバーチャルコンカチネーション信号から元信号を復元する復元手段とを有し、
複数の切替手段の各々は、第１のバーチャルコンカチネーション信号と第２のバーチャルコンカチネーション信号間の切り替えを行う
ことを特徴とする伝送装置。
【請求項１０】
請求項９に記載の位相差吸収手段は、
第１の伝送路から受信した複数のバーチャルコンカチネーション信号を一時蓄積する第１の一時蓄積手段と、
第２の伝送路から受信した第２のバーチャルコンカチネーション信号を一時蓄積する第２の一時蓄積手段とを有し、
請求項９に記載の位相差検出手段は伝送された全てのバーチャルコンカチネーション信号間の位相差をＨ４バイトマルチフレームにおける識別子を用いて検出し、位相差吸収手段が、検出された位相差を用いて第１の一時蓄積手段と第２の一時蓄積手段からの読出し位相を揃える請求項９に記載の伝送装置。
【発明の詳細な説明】
【０００１】
【発明の属する技術分野】
本発明は、無瞬断切替システムに係り、特に、多重分離機能もしくは、方路設定機能を有する複数のノードで構成されるネットワークにおいて異なる複数の経路で伝送された信号の切替を無瞬断で行う同期ディジタル伝送システムにおける無瞬断切替システムに関する。
【０００２】
【従来の技術】
無瞬断切替は、無瞬断切替されるべき信号を送信側で異なる２つの系に分岐した後送信し、異なる２つの経路で伝送された信号間の位相を揃えておいて、１ビット以内に切替を行うことにより実現可能である。
【０００３】
図１は、従来の無瞬断切替技術を説明するための伝送システムの構成を示す図である。同図に示すシステムは、送信側の装置が識別子付与部１１、分岐部１２、第１の送信インタフェース１３、第２の送信インタフェース１４を有し、受信側の装置が第１の受信インタフェース１５、第２の受信インタフェース１６、第１のエラスティックストアメモリ１７、第２のエラスティックストアメモリ１８、位相制御部１９、セレクタ部２０を有する。識別子付与部１１には、無瞬断切替される信号１０１が入力され、セレクタ部２０からは、無瞬断切替された信号１０２が出力される。
【０００４】
無瞬断切替されるべき信号１０１は、識別子付与部１１で位相制御用の識別子を付与された後、分岐部１２に入力され、第１の送信インタフェース１３と第２の送信インタフェース１４のそれぞれに分岐される。なお、分岐される信号は同じ信号である。この過程により、無瞬断切替されるべき送信データは、異なる２つの経路に送信される。
【０００５】
第１の受信インタフェース１５に入力された無瞬断切替されるべき信号は、第１のエラスティックストアメモリ１７に蓄積される。第２の受信インタフェース１６に入力された無瞬断切替されるべき信号は、第２のエラスティックストアメモリ１８に蓄積される。
【０００６】
第１のエラスティックストアメモリ１７及び第２のエラスティックストアメモリ１８に蓄積された無瞬断切替されるべき信号は、位相制御部１９により読出し位相が揃えられた後、受信側セレクタ部２０に入力され、当該セレクタ部２０により切替が実行される。ここで、切替とは、セレクタ部２０が第１のエラスティックストアメモリ１７から信号を受信するのか第２のエラスティックストアメモリ１８から信号を受信するのかの切替を指す。
【０００７】
この過程により、異なる２つの経路で伝送された信号間の無瞬断切替が実現される。
【０００８】
異なる２つの経路で伝送された信号間の位相合わせは、異なる２つの経路で伝送された信号を、それぞれ異なるエラスティックストアメモリに一時蓄積し、送信側で挿入されたＩＴＵ−Ｔ  Ｇ．７０７にて規定されている同期ディジタルハイアラーキのＰＯＨのＪ１バイトのマルチフレーム若しくは、Ｈ４バイトのマルチフレームに挿入された特定のパターン（識別子）を用いて異なる２つの経路で伝送された信号間の位相差を検出し、この特定のパターンによって検出された位相差をもとにエラスティックストアメモリからの読出し位相を揃えることにより可能である。
【０００９】
位相を揃えることに関連する技術としてＩＴＵ−Ｔ  Ｇ．７０７で規定されるバーチャルコンカチネーションの技術がある。バーチャルコンカチネーションは、元信号を送信側で複数のバーチャルコンカチネーション信号に分割した後送信し、同一もしくは異なる複数の経路で伝送された信号間の位相を揃えた後、元信号に復元することにより実現される技術である。
【００１０】
図２は、バーチャルコンカチネーション技術を説明するための伝送システムの構成を示す図である。同図に示すシステムにおいて、送信側は振り分け処理部３１、識別子付与部３２1 〜３２n 、送信インタフェース３３1〜３３nを有し、受信側は受信インタフェース３４1〜３４n、エラスティックストアメモリ３５1〜３５n、位相制御部３６、復元処理部３７を有する。送信側において振り分け処理部３１には、バーチャルコンカチネーションされる信号２０１が入力され、復元処理部３７からは、バーチャルコンカチネーションにより分割され伝送された後、復元された信号２０２が出力される。
【００１１】
バーチャルコンカチネーションされるべき信号２０１は、振り分け処理部３１で複数のバーチャルコンカチネーション信号に分割された後、識別子付与部３２1〜３２nで位相制御用の識別子を付与された後、送信インタフェース３３1〜３３nに入力され、同一もしくは異なる複数の経路に送信される。
【００１２】
受信インタフェース３４1〜３４nに入力されたバーチャルコンカチネーション信号は、エラスティックストアメモリ３５1〜３５nに蓄積される。
【００１３】
エラスティックストアメモリ３５1〜３５nに蓄積されたバーチャルコンカチネーション信号は、位相制御部３６により読出し位相が揃えられた後、復元処理部３７に入力され、元信号へ復元される。
【００１４】
この過程により、元信号の分割・復元によるバーチャルコンカチネーション伝送が実現される。
同一もしくは異なる複数の経路で伝送されたバーチャルコンカチネーション信号間の位相合わせは、同一もしくは異なる複数の経路で伝送されたバーチャルコンカチネーション信号を、それぞれ異なるエラスティックストアメモリに一時蓄積し、送信側で挿入されたＩＴＵ−Ｔ  Ｇ．７０７にて規定されている同期ディジタルハイアラーキのＰＯＨのＨ４バイトのマルチフレームに挿入されたバーチャルコンカチネーション用の特定のパターン（識別子）を用いて同一もしくは異なる複数の経路で伝送された信号間の位相差を検出し、この特定のパターンによって検出された位相差をもとにエラスティックストアメモリからの読出し位相を揃えることにより可能である。
【００１５】
【非特許文献１】
須藤、織田、「バーチャルコンカチネーション技術を応用した無瞬断切替の検討」、２００２年電子情報通信学会総合大会、Ｂ−１０−６７、平成１４年３月７日
【００１６】
【特許文献１】
特開２００２−２６８５５号公報
【００１７】
【特許文献２】
特開平７−９５１８６号公報
【００１８】
【特許文献３】
特開２００１−５３７０５号公報
【００１９】
【発明が解決しようとする課題】
さて、従来の無瞬断切替では、無瞬断に切替られるべき元信号のサイズは、ＩＴＵ−Ｔ  Ｇ．７０７にて規定されたＶＣ−３（５０  Ｍｂｉｔ／ｓ）、ＶＣ−４（１５０  Ｍｂｉｔ／ｓ）もしくはコンティギュアスコンカチネーションであるＶＣ−４−Ｘｃ（１５０ｘＸ  Ｍｂｉｔ／ｓ（Ｘは４、１６、６４、２５６））が実現されているのみで、これらＶＣ−３、ＶＣ−４及びＶＣ−４−Ｘｃ（Ｘは４、１６、６４、２５６）以外の中間帯域の無瞬断切替は実現できず、伝送帯域の有効利用ができなかった。
【００２０】
従来の無瞬断切替において、異なる２つの経路で伝送された信号間の位相差検出方法として、ＩＴＵ−Ｔ  Ｇ．７０７にて規定された同期ディジタルハイアラーキにおけるＰＯＨのＪ１バイトマルチフレームを用いた場合、当該Ｊ１バイトは、ＩＴＵ−ＴＧ．７０７にて規定された同期ディジタルハイアラーキでは、パスを一意に検出するためのパストレースバイトとして定義されているため、無瞬断切替の実現時にはパストレースが実現できなくなり、無瞬断切替とパストレースの実現は両立できないという問題もある。
【００２１】
また、従来の無瞬断切替とバーチャネルコンカチネーションとを直列接続することで、ＶＣ−３、ＶＣ−４、ＶＣ−４−Ｘｃ（Ｘは４、１６、６４、２５６）以外の中間帯域の無瞬断切替が可能となるが、無瞬断切替用の位相差の検出方法とバーチャルコンカチネーション用の位相差の検出方法及び無瞬断切替用のエラスティックストアメモリとバーチャルコンカチネーション用のエラスティックストアメモリを備える必要があり、装置構成の複雑化、遅延の増加といった問題が発生する。
【００２２】
この、従来の無瞬断切替とバーチャルコンカチネーションとを直列接続する場合に、無瞬断切替時の異なる２つの経路で伝送された信号間の位相差の検出方法として、ＩＴＵ-Ｔ  Ｇ．７０７にて規定された同期ディジタルハイアラーキにおけるＰＯＨのＨ４バイトのマルチフレームを用いた場合、当該Ｈ４バイトは、バーチャルコンカチネーションを実現するための位相差の検出用バイトとして定義されているため、無瞬断切替用のＨ４バイトマルチフレームがバーチャルコンカチネーション用のＨ４バイトマルチフレームを上書きしてしまうため、バーチャルコンカチネーション信号から元信号への復元ができなくなり、無瞬断切替の実現とバーチャルコンカチネーションの実現は両立できないという問題がある。
【００２３】
従来の無瞬断切替とバーチャルコンカチネーションとを直列接続する場合に、無瞬断切替時の異なる２つの経路で伝送された信号間の位相差の検出方法として、ＩＴＵ-Ｔ  Ｇ．７０７にて規定された同期ディジタルハイアラーキにおけるＰＯＨのＪ１バイトのマルチフレームを用いた場合には、バーチャルコンカチネーションにより分割された信号のＪ１バイトを上書きしてしまうため、バーチャルコンカチネーションにより分割された信号については、パストレースの実現ができず、装置構成の複雑化、遅延の増加という問題に加えて、無瞬断切替の実現とパストレースの実現が両立できないという問題がある。
【００２４】
本発明は、上記の点に鑑みなされたもので、近年のＬＡＮ系トラフィックの増大に伴う元信号の大容量化やＶＣ−３、ＶＣ−４及びＶＣ−４−Ｘｃ（Ｘは４、１６、６４、２５６）以外の中間帯域伝送を実現するバーチャルコンカチネーションであるＶＣ−３−Ｘｖ（５０ｘＸ  Ｍｂｉｔ／ｓ（Ｘは１〜２５６の整数））、ＶＣ−４−Ｘｖ（１５０ｘＸ  Ｍｂｉｔ／ｓ（Ｘは１〜２５６の整数））に対応した無瞬断切替システム及び伝送装置を装置構成を複雑化させることなく提供することを目的とする。
【００２５】
【課題を解決するための手段】
本発明の上記の目的は、ネットワークにおいて異なる複数の伝送路で伝送された信号の切替を無瞬断で行う無瞬断切替システムを、元信号を複数の信号に分割する振り分け処理手段と、分割された複数の信号を１つ又は複数の伝送路で伝送する伝送手段とを有する送信側装置と、前記送信側装置から１つ又は複数の伝送路で伝送された信号間の位相差を検出する位相差検出手段と、前記位相差検出手段で検出された位相差を吸収する位相差吸収手段と、前記位相差が吸収された信号間で切替を行う複数の切替手段と、分割された信号を元信号に復元する復元処理手段とを有するように構成することにより達成できる。
【００２６】
本発明によれば、元信号をｎ個に分割し、分割された信号を例えば２ｎ個の伝送路で受信側に送り、伝送された２ｎ個のそれぞれの信号の位相差を吸収した後に切替を行う。従って、分割復元のための位相差吸収と冗長切替のための位相差吸収とを一度に実施でき、装置構成を複雑化することなく無瞬断切替を実現できる。更に、元信号をｎ個に分割する構成をとるので、中間帯域での無瞬断切替を実現できる。
【００２７】
また、上記の無瞬断切替システムにおいて、前記送信側装置は、前記振り分け処理手段により分割された複数の信号の各々を第１の信号と第２の信号とに分岐する複数の分岐手段を有し、前記伝送手段は複数の第１の信号と複数の第２の信号を伝送し、前記受信側装置は、前記複数の第１の信号と複数の第２の信号の位相を揃え、複数の第２の信号と複数の第１の信号とを前記複数の切替手段に与えるように構成できる。
【００２８】
また、上記の無瞬断切替システムにおいて、前記複数の切替手段と前記復元処理手段に代えて、前記位相差を吸収した後に、分割した信号を複数の元信号に復元する複数の復元処理手段と、複数の元信号から１つの元信号を選択する切替手段とを有するようにしてもよい。本発明によれば、復元処理をした後に切替を実施するので、切替手段を１つ用意すればよい。
【００２９】
また、上記の無瞬断切替システムにおいて、前記送信側装置は、前記振り分け処理手段により分割された複数の信号の各々を第１の信号と第２の信号とに分岐する複数の分岐手段と、複数の分岐手段から出力される複数の第２の信号の中から１つの第２の信号を選択する選択手段とを有し、前記伝送手段は1つの第２の信号と複数の第１の信号を伝送し、前記受信側装置は、前記1つの第２の信号と複数の第１の信号の位相を揃え、第２の信号を複数の第２の信号に分岐し、分岐した複数の第２の信号と複数の第１の信号とを前記複数の切替手段に与えるようにしてもよい。
【００３０】
本発明によれば、例えば、複数の現用伝送路（第１の信号を伝送）が予備伝送路（第２の信号を伝送）を共用することが可能となり、通信リソースの有効利用が可能となる。
【００３１】
また、上記の無瞬断切替システムにおいて、前記振り分け処理手段は、バーチャルコンカチネーション技術を用いて、前記元信号を複数のバーチャルコンカチネーション信号に分割する手段と、Ｈ４バイトマルチフレームを各々のバーチャルコンカチネーション信号に挿入する手段とを有し、前記位相差検出手段はＨ４バイトマルチフレームを用いて位相差を検出し、前記位相差吸収手段はエラスティックストアメモリにより位相差を吸収するようにしてもよい。
【００３２】
本発明によれば、元信号を分割するのにバーチャルコンカチネーションを用いることにより、ＶＣ−３、ＶＣ−４、ＶＣ−４−Ｘｃ（Ｘは４、１６、６４、２５６）以外の中間帯域伝送を実現するバーチャルコンカチネーションであるＶＣ−３−Ｘｖ（Ｘは１〜２５６の整数）、ＶＣ−４−Ｘｖ（Ｘは１〜２５６の整数）に関する無瞬断切替の実現が可能となる。
【００３３】
また、無瞬断切替用の識別子としてバーチャルコンカチネーションにおけるＨ４バイトマルチフレームを付与し、位相調整にバーチャルコンカチネーションにおけるエラスティックストアメモリを用いることにより、無瞬断切替とバーチャルコンカチネーションの位相調整を同時に実施することが可能となり、装置構成の複雑化、遅延の増加を回避し、併せて、バーチャルコンカチネーションと無瞬断切替の両立、Ｊ１バイトによるパストレースと無瞬断切替の両立を実現することが可能となる。
【００３４】
また、上記の目的は、元信号をバーチャルコンカチネーション技術を用いて複数のバーチャルコンカチネーション信号に分割した信号の各々を分岐した複数のバーチャルコンカチネーション信号、もしくは、元信号を分岐した複数の信号の各々をバーチャルコンカチネーション技術を用いて分割した複数のバーチャルコンカチネーション信号を受信する手段と、前記複数のバーチャルコンカチネーション信号間の位相差を検出する位相差検出手段と、前記位相差検出手段で検出された位相差を吸収する位相差吸収手段と、前記位相差を吸収した後、バーチャルコンカチネーション信号間の切替を行う複数の切替手段と、複数のバーチャルコンカチネーション信号を元信号に復元する復元処理手段を有する伝送装置によっても達成できる。
【００３５】
上記の伝送装置において、前記複数の切替手段と前記復元処理手段に代えて、前記位相差を吸収した後に、バーチャルコンカチネーション信号を複数の元信号に復元する複数の復元処理手段と、複数の元信号から１つの元信号を選択する切替手段とを有するようにしてもよい。
【００３６】
また、受信した複数のバーチャルコンカチネーション信号のうちの１つの信号を複数の信号に分岐して前記複数の切替手段に与える分岐手段を有するよう構成とすることもできる。
【００３７】
【発明の実施の形態】
以下、本発明の実施の形態による無瞬断切替システムを図面と共に説明する。なお、本実施の形態では、ＩＴＵ−Ｔ  Ｇ．７０７にて規定された同期ディジタルハイアラーキ及びバーチャルコンカチネーションの機能を有する同期デジタル伝送システムを一例として説明する。
【００３８】
なお、本実施の形態におけるバーチャルコンカチネーション技術および、バーチャルコンカチネーション信号の位相差検出をするためのＨ４バイトマルチフレームについては、ＩＴＵ−Ｔ  Ｇ．７０７にて規定されたものである。
【００３９】
[実施の形態の原理]
図３は、本発明の実施の形態における無瞬断切替システムの原理構成図である。
【００４０】
本無瞬断切替システムは送信側装置４０と受信側装置５０とを有する。送信側装置４０は無瞬断切替されるべき元信号を複数の信号に分割する振り分け処理手段４１と、１つ又は、複数の経路に分割された複数の信号を伝送する伝送手段４２とを有する。また、受信側装置５０は、送信側装置４０から１つ又は、複数の経路で伝送された信号間の位相差を検出する位相差検出手段５１と、位相差検出手段５１で検出された位相差を吸収する位相差吸収手段５２と、位相差を吸収した後、無瞬断で切替を行う切替手段５３と、分割された信号を元信号に復元する復元処理手段５４を有する。
【００４１】
［第１の実施の形態］
図４は、本発明の第１の実施の形態における無瞬断切替システムの構成図であり、ＩＴＵ−Ｔ  Ｇ．７０７にて規定されたバーチャルコンカチネーションを用いた無瞬断切替機能の実現手段を示す。
【００４２】
図４に示すシステムにおいて、無瞬断切替システムの送信側装置は、元信号をＩＴＵ−Ｔ  Ｇ．７０７にて規定されたバーチャルコンカチネーションによる複数のバーチャルコンカチネーション信号に分割する振り分け処理部２１２、分割されたバーチャルコンカチネーション信号にＩＴＵ−Ｔ  Ｇ．７０７にて規定されたバーチャルコンカチネーション信号間の位相差を検出するためのＨ４バイトマルチフレームを入力するための識別子付与部２２０1 〜２２０n 、分割されたバーチャルコンカチネーション信号を異なる２つの系に分岐する分岐部２３０1〜２３０n、分岐された一方のバーチャルコンカチネーション信号を第１の伝送路に送信するための第１の送信インタフェース２４０1 〜２４０n、分岐された他方のバーチャルコンカチネーション信号を第２の伝送路に送信する第２の送信インタフェース２５０1〜２５０nを有する。なお、第１の伝送路と第２の伝送路の各々は１つのルートの伝送路でもよいし複数ルートの伝送路でもよい。他の実施の形態でも同様である。
【００４３】
また、無瞬断切替システムの受信側装置は、伝送路からバーチャルコンカチネーション信号を受信する第１の受信インタフェース２６０1〜２６０n、第２の伝送路からバーチャルコンカチネーション信号を受信する第２の受信インタフェース２７０1〜２７０n、第１の伝送路から受信したバーチャルコンカチネーション信号を一時蓄積するための第１のエラスティックストアメモリ２８０1〜２８０n、第２の伝送路から受信したバーチャルコンカチネーション信号を一時蓄積するための第２のエラスティックストアメモリ２９０1〜２９０n、分割された後、異なる経路で伝送された全てのバーチャルコンカチネーション信号間の位相差を検出し、各エラスティックストアメモリからの読出し位相を揃える位相制御部２１０、第１の伝送路から受信したバーチャルコンカチネーション信号と第２の伝送路から受信したバーチャルコンカチネーション信号の切替を行うセレクタ部２１１1〜２１１n、ＩＴＵ−Ｔ  Ｇ．７０７にて規定されたバーチャルコンカチネーション信号から元信号を復元するための復元処理部２１３を有する。
【００４４】
次に、図４を用いて本実施の形態における無瞬断切替システムの動作を説明する。
【００４５】
無瞬断切替されるべき元信号２００は、振り分け処理部２１２に入力され、複数のバーチャルコンカチネーション信号に分割される。その後、識別子付与部２２０1〜２２０nにて各信号のＨ４バイトのマルチフレームに、分割された信号を元信号へ復元する際の位相差の検出及び無瞬断切替時の位相差の検出を行うための特定パターン（識別子）が書き込まれる。この過程により、無瞬断切替されるべき元信号がバーチャルコンカチネーション信号に分割される。例えば、元信号（Ａ）をｎ個に分割し、それぞれＡ1 ，Ａ2 ，…，Ａn とする。Ａ1 は、識別子付与部２２０1 に、Ａn は識別子付与部２２０n に送られる。
【００４６】
次に、識別子付与部２２０1〜２２０nからのバーチャルコンカチネーション信号は、分岐部２３０1〜２３０nによって各々異なる２つの系に分岐され、分岐された一方は、第１の送信インタフェース２４０1〜２４０nより第１の伝送路に、分岐された他方は、第２の送信インタフェース２５０1〜２５０nより第２の伝送路に送出される。
【００４７】
第１の伝送路に送出されたバーチャルコンカチネーション信号は、同期デジタル伝送ネットワークを経由して、第１の受信インタフェース２６０1〜２６０nまで伝送される。
【００４８】
同様に、第２の伝送路に送出されたバーチャルコンカチネーション信号は、同期デジタル伝送ネットワークを経由して、第２の受信インタフェース２７０1〜２７０nまで伝送される。
【００４９】
なお、第１の送信インタフェース２４０1〜２４０nと第２の送信インタフェース２５０1〜２５０nから送信される信号は同じである。
【００５０】
受信側では、第１の受信インタフェース２６０1〜２６０nで第１の伝送路を伝送されたバーチャルコンカチネーション信号が受信され、第２の受信インタフェース２７０1〜２７０nで第２の伝送路を伝送されたバーチャルコンカチネーション信号が受信される。第１の伝送路から受信されたバーチャルコンカチネーション信号は、第１のエラスティックストアメモリ２８０1〜２８０nに、第２の伝送路から受信されたバーチャルコンカチネーション信号は第２のエラスティックストアメモリ２９０1〜２９０nに、それぞれ一時蓄積された後、位相制御部２１０によりＨ４バイトのマルチフレームに書き込まれた特定パターン（識別子）を元に、位相差の検出が行われる。そして、異なる経路で伝送されたすべてのバーチャルコンカチネーション信号間でエラスティックストアメモリからの読出し位相を揃えられた後、セレクタ部２１１1〜２１１nへ送出される。セレクタ部２１１1 〜２１１nに入力された第１の伝送路から受信されたバーチャルコンカチネーション信号と第２の伝送路から受信されたバーチャルコンカチネーション信号は、１ビット以内で選択系の切替が行われる。ここで、切替とは、セレクタ部２１１1〜２１１nの各々が第１のエラスティックストアメモリから信号を受信するのか、第２のエラスティックストアメモリから信号を受信するのかを切り替えることを意味する。
【００５１】
セレクタ部２１１1〜２１１nにより選択系の切替が行われたバーチャルコンカチネーション信号は、復元処理部２１３に送出され、元信号に復元される。
【００５２】
この分割された後、異なる経路で伝送された全てのバーチャルコンカチネーション信号間でエラスティックストアメモリからの読出し位相を揃えた後、セレクタ部にて１ビット以内で選択系の切替を行う過程により、無瞬断切替用の位相調整とバーチャルコンカチネーション用の位相調整が同時に実施され、ビットの欠落なく元信号に復元される。
【００５３】
なお、本実施の形態では、復元処理前に切替を実施するので、信号を切り替えるセレクタは複数必要となるが、切替の必要がある信号だけを個別に切り替えることができるという利点がある。
【００５４】
また、送信側の分岐部２３０と受信側のセレクタ２１１を各バーチャルコンカチネーション信号に対して個別に設置しているが、複数のバーチャルコンカチネーション信号で分岐処理及びセレクタ２１１を共用するために当該分岐部２３０及び当該セレクタ２１１をスイッチ機能と置換してもよい。
【００５５】
［第２の実施の形態］
上述の第１の実施の形態では、送信側の分岐部２３０を振り分け処理部２１２よりも後に、セレクタ部２１１を復元処理部２１３よりも前に設置する構成をとっているが、振り分け処理前に異なる２つの系に分岐し、復元処理後に切替を行うことでも無瞬断切替は可能である。
【００５６】
本実施の形態では、分岐部とセレクタ部を配置する場所を変えた形態を図面を参照して説明する。
【００５７】
図５は、本発明の第２の実施の形態における無瞬断切替システムの構成を示す図である。
【００５８】
同図において、無瞬断切替システムの送信側装置は、元信号を２つの系に分岐する分岐部３１０、分岐された一方の元信号（以下、第１の元信号と記す）を、ＩＴＵ−Ｔ  Ｇ．７０７にて規定されたバーチャルコンカチネーションにより複数のバーチャルコンカチネーション信号に分割する第１の振り分け処理部３２０1、分岐された他方の元信号（以下、第２の元信号と記す）をＩＴＵ−Ｔ  Ｇ．７０７にて規定されたバーチャルコンカチネーションにより複数のバーチャルコンカチネーション信号に分割する第２の振り分け処理部３２０2、第１の元信号から分割されたバーチャルコンカチネーション信号にＩＴＵ−Ｔ  Ｇ．７０７にて規定されたバーチャルコンカチネーション信号間の位相差を検出し、かつ異なる経路で伝送されたバーチャルコンカチネーション信号間の位相差を検出するためのＨ４バイトマルチフレームを入力する第１の識別子付与部３４０1〜３４０n、第２の元信号から分割されたバーチャルコンカチネーション信号にＩＴＵ−ＴＧ．７０７にて規定されたバーチャルコンカチネーション信号間の位相差を検出し、かつ異なる経路で伝送されたバーチャルコンカチネーション信号間の位相差を検出するためのＨ４バイトマルチフレームを入力する第２の識別子付与部３５０1〜３５０n、第１の元信号から分割されたバーチャルコンカチネーション信号を第１の伝送路に送信する第１の送信インタフェース３６０1〜３６０n 、第２の元信号から分割されたバーチャルコンカチネーション信号を第２の伝送路に送信する第２の送信インタフェース３７０1〜３７０nを有する。
【００５９】
また、無瞬断切替システムの受信側装置は、第１の伝送路から第１の元信号から分割されたバーチャルコンカチネーション信号を受信する第１の受信インタフェース３８０1〜３８０n、第２の伝送路から第２の元信号から分割されたバーチャルコンカチネーション信号を受信する第２の受信インタフェース３９０1〜３９０n、第１の伝送路から受信したバーチャルコンカチネーション信号を一時蓄積する第１のエラスティックストアメモリ３１１1〜３１１n、第２の伝送路から受信したバーチャルコンカチネーション信号を一時蓄積する第２のエラスティックストアメモリ３１２1〜３１２n、異なる２つの系に分岐された後、分割されたすべてのバーチャルコンカチネーション信号間の位相差を検出し、各々の一時蓄積手段からの読出し位相を揃える位相制御部３１４、ＩＴＵ−Ｔ  Ｇ．７０７にて規定されたバーチャルコンカチネーションにより第１の元信号を復元する第１の復元処理部３１３1、ＩＴＵ−Ｔ  Ｇ．７０７にて規定されたバーチャルコンカチネーションにより第２の元信号を復元する第２の復元処理部３１３2、復元された第１の元信号と第２の元信号の切替を行うセレクタ部３１５を有している。
【００６０】
次に、図５を用いて、本実施の形態の無瞬断切替システムの動作を説明する。
【００６１】
無瞬断切替されるべき元信号は、分岐部３１０に入力され、第１の元信号と第２の元信号とに分岐され、それぞれ第１の振り分け処理部３２０1と第２の振り分け処理部３２０2に入力される。なお、第１の元信号と第２の元信号は同じ信号である。
【００６２】
第１の振り分け処理部３２０1に入力された第１の元信号は、複数のバーチャルコンカチネーション信号に分割され、第１の識別子付与部３４０1〜３４０nにて、Ｈ４バイトのマルチフレームに元信号へ復元する際の位相差の検出及び無瞬断切替時の位相差の検出を行うための特定パターン（識別子）が書き込まれた後、第１の送信インタフェース３６０1〜３６０nより第１の伝送路に送出される。
【００６３】
第２の振り分け処理部３２０2に入力された第２の元信号は、複数のバーチャルコンカチネーション信号に分割され、第２の識別子付与部３５０1〜３５０nにて、Ｈ４バイトのマルチフレームに元信号へ復元する際の位相差の検出及び無瞬断切替時の位相の検出を行うための特定パターン（識別子）が書き込まれた後、第２の送信インタフェース３７０1〜３７０nより第２の伝送路に送出される。
【００６４】
この過程により、無瞬断切替されるべき元信号は、第１のバーチャルコンカチネーション信号と第２のバーチャルコンカチネーション信号に分割される。
【００６５】
受信側では、第１の受信インタフェース３８０1〜３８０nで、第１の伝送路を伝送された第１のバーチャルコンカチネーション信号が受信され、第２の受信インタフェース３９０1〜３９０nで第２の伝送路を伝送された第２のバーチャルコンカチネーション信号が受信される。受信された第１のバーチャルコンカチネーション信号は、第１のエラスティックストアメモリ３１１1〜３１１nに、第２のバーチャルコンカチネーション信号は、第２のエラスティックストアメモリ３１２1〜３１２nに一時蓄積された後、位相制御部３１４によりＨ４バイトのマルチフレームに書き込まれた特定パターン（識別子）を元に、位相差の検出が行われ、異なる２つの系に分岐された後分割された全てのバーチャルコンカチネーション信号間でエラスティックストアメモリからの読出し位相を揃えられる。
【００６６】
位相を揃えられた第１のバーチャルコンカチネーション信号は、第１の復元処理部３１３1に送出され、第１の元信号に復元され、セレクタ部３１５に送出される。
【００６７】
位相を揃えられた第２のバーチャルコンカチネーション信号は、第２の復元処理部３１３2に送出され、第２の元信号に復元され、セレクタ部３１５に送出される。
【００６８】
セレクタ部３１５では、入力された第１の元信号と第２の元信号との間で１ビット以内に選択系の切替が行われる。
【００６９】
この第１のバーチャルコンカチネーション信号と第２のバーチャルコンカチネーション信号間でエラスティックストアメモリからの読出し位相を揃えた後、第１の元信号および第２の元信号へ復元し、セレクタ部により第１の元信号と第２の元信号間で１ビット以内に選択系の切替が行われる過程により、無瞬断切替用の位相調整とバーチャルコンカチネーション用の位相調整が同時に実施され、ビットの欠落なく切替が行われる。
【００７０】
上述の第１の実施の形態の送信側と第２の実施の形態の受信側の組み合わせ及び第２の実施の形態の送信側と第１の実施の形態の受信側の組み合わせでも無瞬断切替は可能である。
【００７１】
第２の実施の形態は、第１の系（現用系）及び第２の系（予備系）の各々の復元処理が行われた後に切替を実施するので、無瞬断切替をつかさどるセレクタは1個ですむ。したがって、切替作業自体も1個のセレクタを動作させるだけであり、複数のセレクタを動作させる煩雑さがないという利点がある。
【００７２】
［第３の実施の形態］
上述の第１の実施の形態及び第２の実施の形態では、元信号から分割されたバーチャルコンカチネーション信号は全て第１の系と第２の系で冗長構成を有する形態となっているが、本実施の形態では、第２の伝送路を複数の第１の伝送路で共用する例を説明する。本実施の形態は、第１の送信インタフェースと第２の送信インタフェースに同じ信号を送るが、第２の送信インタフェースを１つに纏めて効率よく信号を送ろうとするものである。
【００７３】
図６は、本発明の第３の実施の形態における無瞬断切替システムの構成図であり、ＩＴＵ−Ｔ  Ｇ．７０７にて規定されたバーチャルコンカチネーションを用いた無瞬断切替機能を実現手段を示す。
【００７４】
図６における無瞬断切替システムの送信側装置は、元信号を複数のバーチャルコンカチネーション信号に分割する振り分け処理部４１０、分割されたバーチャルコンカチネーション信号にＩＴＵ−Ｔ  Ｇ．７０７にて規定されたバーチャルコンカチネーション信号間の位相差を検出し、かつ異なる経路で伝送されたバーチャルコンカチネーション信号間の位相差を検出するためのＨ４バイトマルチフレームを入力するための識別子付与部４２０1〜４２０n、分割されたバーチャルコンカチネーション信号を第１のバーチャルコンカチネーション信号と第２のバーチャルコンカチネーション信号とに分岐するための分岐部４３０1〜４３０n、複数の第２のバーチャルコンカチネーション信号から切替を実施すべき第２のバーチャルコンカチネーション信号を選択するためのセレクタ部４４０、第１のバーチャルコンカチネーション信号を第１の伝送路に送信する第１の送信インタフェース４５０1〜４５０n、第２のバーチャルコンカチネーション信号を第２の伝送路に送信する第２の送信インタフェース４６０を有している。
【００７５】
また、無瞬断切替システムの受信側装置は、第１の伝送路から第１のバーチャルコンカチネーション信号を受信する第１の受信インタフェース４７０1〜４７０n、第２の伝送路から第２のバーチャルコンカチネーション信号を受信する第２の受信インタフェース４８０、第１のバーチャルコンカチネーション信号を一時蓄積する第１のエラスティックストアメモリ４９０1〜４９０n、第２のバーチャルコンカチネーション信号を一時蓄積する第２のエラスティックストアメモリ４８５、分割された後、異なる経路で伝送された全てのバーチャルコンカチネーション信号間の位相差を検出し、各々の一時蓄積手段からの読出し位相を揃える位相制御部４１１、第２のバーチャルコンカチネーション信号を分岐するための分岐部４１２、第１のバーチャルコンカチネーション信号と第２のバーチャルコンカチネーション信号間の切替を行うセレクタ部４１３1〜４１３n、複数のバーチャルコンカチネーション信号から元信号を復元するための復元処理部４１４から構成される。
【００７６】
次に、図６を用いて、本実施の形態の無瞬断切替システムの動作を説明する。
【００７７】
無瞬断されるべき元信号は、振り分け処理部４１０に入力され、複数のバーチャルコンカチネーション信号に分割された後、識別子付与部４２０1〜４２０nにて、Ｈ４バイトのマルチフレームに位相差検出用のパターンが書き込まれる。この過程により、無瞬断切替されるべき元信号がバーチャルコンカチネーション信号に分割される。
【００７８】
識別子付与部４２０1〜４２０nからのバーチャルコンカチネーション信号は、分岐部４３０1〜４３０nによって第１の系のバーチャルコンカチネーション信号と第２の系のバーチャルコンカチネーション信号とに分岐される。分岐された第１のバーチャルコンカチネーション信号は、第１の送信インタフェース４５０1〜４５０nに送出され、第２のバーチャルコンカチネーション信号は、セレクタ部４４０に送出される。セレクタ部４４０では、入力された複数の第２のバーチャルコンカチネーション信号のうち、無瞬断切替されるべきバーチャルコンカチネーション信号が選択され、第２の送信インタフェース４６０に送出される。
【００７９】
受信側では、第１の受信インタフェース４７０1〜４７０nで受信した、第１のバーチャルコンカチネーション信号が、第１のエラスティックストアメモリ４９０1〜４９０nに一時的に蓄積され、第２の受信インタフェース４８０で受信した第２のバーチャルコンカチネーション信号が第２のエラスティックストアメモリ４８５に一時的に蓄積される。第１のエラスティックストアメモリ４９０1〜４９０n及び第２のエラスティックストアメモリ４８５に蓄積されたバーチャルコンカチネーション信号は、位相制御部４１１により全て読出し位相が揃えられる。
【００８０】
位相が揃えられた第１のバーチャルコンカチネーション信号は、セレクタ４１３1〜４１３nへ送出される。
【００８１】
位相を揃えられた第２のバーチャルコンカチネーション信号は、分岐部４１２に送出され、すべてのセレクタ部４１３1〜４１３nに分岐・送出される。
【００８２】
無瞬断切替されるべき第１のバーチャルコンカチネーション信号を受信したセレクタ部４１３1〜４１３nでは、入力された第１のバーチャルコンカチネーション信号と第２のバーチャルコンカチネーション信号との間で１ビット以内に選択系の切替を行い、復元処理部４１４へ送出する。
【００８３】
無瞬断切替されるべき第１のバーチャルコンカチネーション信号以外の第１のバーチャルコンカチネーション信号を受信したセレクタ部４１３は、誤った信号間の切替を防ぐために、セレクタを第１の固定とし、受信した第１のバーチャルコンカチネーション信号を復元処理部４１４に送出する。
【００８４】
復元処理部４１４では、入力された複数のバーチャルコンカチネーション信号から元信号を復元する。
【００８５】
この、第１のバーチャルコンカチネーション信号と第２のバーチャルコンカチネーション信号間でエラスティックストアメモリからの読出し位相が揃えられ、セレクタにより１ビット以内で選択系の切替を行った後、元信号へ復元する過程により、無瞬断切替用の位相調整とバーチャルコンカチネーション用の位相調整が同時に実施され、ビットの欠落なく切替が行われ、元信号に復元される。
【００８６】
本実施の形態では、第２の送信インタフェース及び第２の受信インタフェース間の伝送路（無瞬断切替用の予備伝送路）を複数の第1の送受信インタフェース及び第1の送受信インタフェース間の伝送路（現用伝送路）で共用するので、伝送路（帯域）の有効利用が可能となる。すなわち、現用伝送路数＝ｍ、予備伝送路数＝ｎとしたとき、ｍ＞ｎとすることでｍ−ｎ分の伝送路を別の用途で利用できる。
【００８７】
上述の第１の実施の形態〜第３の実施の形態における無瞬断切替用の位相差を検出するための特定パターンは、ＩＴＵ−Ｔ  Ｇ．７０７にて規定されたバーチャルコンカチネーションにおける複数のバーチャルコンカチネーション信号間の位相差を検出するためのＨ４バイトの４０９６マルチフレームであり、異なる経路で伝送されたバーチャルコンカチネーション信号間の位相を揃えるためのエラスティックストアメモリは、複数のバーチャルコンカチネーション信号間の位相を揃えるためのエラスティックストアメモリである。
【００８８】
なお、本発明は、異なる複数の経路で伝送された信号間の切替を無瞬断で行う無瞬断切替システムであり、分割されたバーチャルコンカチネーション信号を伝送する経路は、２つの経路に限定されるものではなく、異なる２つの経路を含む複数の経路で伝送してもよい。
【００８９】
上述の第１の実施の形態〜第３の実施の形態では、ＩＴＵ−Ｔ  Ｇ．７０７にて規定された同期ディジタルハイアラーキ及びバーチャルコンカチネーションを有する同期デジタル伝送システムを例にあげて説明しているが、本実施の形態と多重化装置、クロスコネクト装置、アッドドロップマルチプレクサ等を組み合わせて１つのシステムとしてもよい。
【００９０】
以下、本発明の無瞬断切替の機能を有する伝送装置の例として多重化装置、アッドドロップマルチプレクサ、クロスコネクト装置を図７〜図９に示す。
【００９１】
図７は本発明の無瞬断切替機能を有する多重化装置からなるシステムの例を示す図である。送信側における多重化装置は、第１の実施の形態における送信インタフェース２４０、２５０に代えて多重部５１０、５２０と、送信インタフェース５３０、５４０を有する。また、クライアント信号を受信するクライアントインタフェース５９０を有する。分岐部により分岐された信号が多重部５１０、５２０で多重され、送信インタフェース５３０、５４０から出力される。
【００９２】
受信側における多重化装置（分離装置）は、第１の実施の形態における受信インタフェース２６０、２７０に代えて、受信インタフェース５５０、５６０と分離部５７０、５８０を有する。また、クライアント信号を出力するクライアントインタフェース５９５を有する。受信側における多重化装置では、送信インタフェース５３０、５４０から送信された信号が受信インタフェース５５０、５６０により受信され、分離部５７０、５８０にて多重信号が分離される。なお、無瞬断切替に係る処理は第１の実施の形態と同様である。
【００９３】
図８は本発明の無瞬断切替機能を有するアドドロップマルチプレクサからなるシステムの例を示す図である。送信側におけるアドドロップマルチプレクサは、第１の実施の形態における送信インタフェース２４０、２５０に代えてＳＷ部６００、多重部６１０、６１５と、送信インタフェース６２０、６２５を有する。また、クライアント信号を受信するクライアントインタフェース６６０を有する。送信側におけるアドドロップマルチプレクサでは、ＳＷ部によりアドドロップのために信号が切り替えられ、多重部６１０、６１５に送信される。多重部６１０、６１５では信号を多重化し、多重化した信号が送信インタフェース６２０、６２５から出力される。
【００９４】
受信側におけるアドドロップマルチプレクサは、第１の実施の形態における受信インタフェース２６０、２７０に代えて、受信インタフェース６３０、６３５と分離部６４０、６４５とＳＷ部６５０を有する。また、クライアント信号を出力するクライアントインタフェース６６５を有する。受信側におけるアドドロップマルチプレクサでは、送信インタフェース６２０、６２５から送信された信号が受信インタフェース６３０、６３５により受信され、分離部６４０、６４５にて多重信号が分離され、ＳＷ部６５０にて信号の方路が切り替えれる。なお、無瞬断切替に係る処理は第１の実施の形態と同様である。
【００９５】
図９は本発明の無瞬断切替機能を有するクロスコネクタからなるシステムの例を示す図である。送信側におけるクロスコネクタは、第１の実施の形態における分岐部２３０と送信インタフェース２４０、２５０との間にＳＷ部７１０を有する。また、クライアント信号を受信するクライアントインタフェース７３０を有する。送信側におけるクロスコネクタでは、ＳＷ部７１０により信号の方路が切り替えられて送信インタフェースに送られる。
【００９６】
受信側におけるクロスコネクタは、第１の実施の形態における受信インタフェース２６０、２７０とエラスティックストアメモリ２８０、２９０との間にＳＷ部７２０を有する。また、クライアント信号を出力するクライアントインタフェース７４０を有する。受信側におけるクロスコネクタでは、送信インタフェースから送信された信号が受信インタフェースにより受信され、ＳＷ部７２０にて信号の方路が切り替えれる。なお、無瞬断切替に係る処理は第１の実施の形態と同様である。
【００９７】
図７〜図９に示した例では、第１の実施の形態に係る無瞬断切替の構成を用いているが、第２、第３の実施の形態に係る無瞬断切替の構成を用いることも可能である。
【００９８】
なお、本発明は、上記の実施の形態に限定されることなく、特許請求の範囲内において、種々変更・応用が可能である。
【００９９】
【発明の効果】
上述のように、本発明によれば、ＩＴＵ−Ｔ  Ｇ．７０７にて規定されたバーチャルコンカチネーションのＨ４バイトマルチフレームを用いて、異なる２つの経路で伝送された第１のバーチャルコンカチネーション信号と第２のバーチャルコンカチネーション信号間の位相差を検出し、バーチャルコンカチネーション信号間の位相差を吸収する（位相を揃える）ためのエラスティックストアメモリを第１のバーチャルコンカチネーション信号と第２のバーチャルコンカチネーション信号間の位相差の吸収に用いることにより、ＶＣ−３、ＶＣ−４、ＶＣ−４−Ｘｃ（Ｘは４、１６、６４、２５６）以外の中間帯域伝送を実現するバーチャルコンカチネーションであるＶＣ−３−Ｘｖ（Ｘは１〜２５６の整数）、ＶＣ−４−Ｘｖ（Ｘは１〜２５６の整数）にも対応した無瞬断切替と、バーチャルコンカチネーションと無瞬断切替の両立と、Ｊ１バイトによるパストレースと無瞬断切替の両立を実現することが可能となる。また、装置構成の複雑化、装置内遅延の増加を回避することが可能となる。
【図面の簡単な説明】
【図１】従来の無瞬断切替技術を説明するための伝送システムの構成を示す図である。
【図２】バーチャルコンカチネーション技術を説明するための伝送システムの構成を示す図である。
【図３】本発明の実施の形態における無瞬断切替システムの原理構成図である。
【図４】本発明の第１の実施の形態における無瞬断切替システムの構成図である。
【図５】本発明の第２の実施の形態における無瞬断切替システムの構成図である。
【図６】本発明の第３の実施の形態における無瞬断切替システムの構成図である。
【図７】本発明の無瞬断切替機能を有する多重化装置からなるシステムの例を示す図である。
【図８】本発明の無瞬断切替機能を有するアドドロップマルチプレクサからなるシステムの例を示す図である。
【図９】本発明の無瞬断切替機能を有するクロスコネクタからなるシステムの例を示す図である。
【符号の説明】
４０  送信側装置
４１  振り分け処理手段
４２  伝送手段
５０  受信側装置
５１  位相差検出手段
５２  位相差吸収手段
５３  切替手段
５４  復元手段
２００  無瞬断切替されるべき元信号
２０１  無瞬断切替された元信号
２１０  位相制御部
２１１  セレクタ部
２１２  振り分け処理部
２１３  復元処理部
２２０  識別子付与部
２３０  分岐部
２４０  第１の送信インタフェース
２５０  第２の送信インタフェース
２６０  第１の受信インタフェース
２７０  第２の受信インタフェース
２８０  第１のエラスティックストアメモリ
２９０  第２のエラスティックストアメモリ
３１０  分岐部
３１１  第１のエラスティックストアメモリ
３１２  第２のエラスティックストアメモリ
３１３1   第１の復元処理部
３１３2   第２の復元処理部
３１４  位相制御部
３１５  セレクタ部
３２０1   第１の振り分け処理部
３２０2   第２の振り分け処理部
３４０  第１の識別子付与部
３５０  第２の識別子付与部
３６０  第１の送信インタフェース
３７０  第２の送信インタフェース
３８０  第１の受信インタフェース
３９０  第２の受信インタフェース
４１０  振り分け処理部
４１３  セレクタ部
４１４  復元処理部
４２０  識別子付与部
４３０  分岐部
４４０  セレクタ部
４５０  第１の送信インタフェース
４６０  第２の送信インタフェース
４７０  第１の受信インタフェース
４８０  第２の受信インタフェース
４８５  第２のエラスティックストアメモリ
４９０  第１のエラスティックストアメモリ
５９０、５９５、６６０、６６５、７３０、７４０  クライアントインタフェース
５１０、５２０、６１０、６１５  多重部
５３０、５４０、６２０、６２５  送信インタフェース
５５０、５６０、６３０、６３５  受信インタフェース
５７０、５８０、６４０、６４５  分離部
６００、６５０、７１０、７２０  ＳＷ部
【図１】
0003716840.tif 000002
【図２】
0003716840.tif 000003
【図３】
0003716840.tif 000004
【図４】
0003716840.tif 000005
【図５】
0003716840.tif 000006
【図６】
0003716840.tif 000007
【図７】
0003716840.tif 000008
【図８】
0003716840.tif 000009
【図９】
0003716840.tif 000010